(57)【要約】【課題】表示側ケースは操作側ケースに対してスライドするとともに斜めにリバーサルして開けられるスライド式電子装置を提供すること。【解決手段】本発明に係るスライド式電子装置は、操作側ケースと、前記操作側ケース上に重ね合わせて設置される表示側ケースと、前記表示側ケースと前記操作側ケースとの間に設置されるチルト機構と、を備えてなる。前記チルト機構は、回転支持部材、連結部材及び両端が相対的に回転できるヒンジ部材を含む。前記表示側ケース及び前記連結部材は、前記回転支持部材を巡って回転するとともに、前記ヒンジ部材をロック状態から解除させる。従って、前記表示側ケースは前記操作側ケースに対してスライドするとともに斜めに開けられる。【選択図】図１
2011166738.tif 000002
【特許請求の範囲】
【請求項１】
操作側ケースと、
前記操作側ケース上に重ね合わせて設置される表示側ケースと、
前記表示側ケースと前記操作側ケースとの間に設置されるチルト機構と、
を備えてなるスライド式電子装置において、
前記チルト機構は、回転支持部材、連結部材及び両端が相対的に回転できるヒンジ部材を含み、
前記回転支持部材の一端は前記操作側ケースに回転可能に枢着され、前記連結部材は前記表示側ケースに固定され、
前記ヒンジ部材の一端は前記連結部材に回転不能に装着され、前記ヒンジ部材の他端は前記回転支持部材に回転不能に固定されて、前記連結部材と前記回転支持部材とを回転可能に連結し、
前記表示側ケース及び前記連結部材は前記回転支持部材を巡って回転するとともに、前記ヒンジ部材をロック状態から解除させ、従って、
前記表示側ケースは前記操作側ケースに対してスライドするとともに斜めに開けられることを特徴とするスライド式電子装置。
【請求項２】
前記スライド式電子装置は従動部材をさらに含み、前記従動部材の両端はそれぞれ前記表示側ケース及び前記操作側ケースに回転可能に枢着されることを特徴とする請求項１の記載のスライド式電子装置。
【請求項３】
前記ヒンジ部材は、スリーブ及び前記スリーブ内に部分的に収納される主軸を含み、
前記スリーブは前記連結部材内に回転不能に装着され、前記主軸は前記回転支持部材に回転不能に固定されることを特徴とする請求項１に記載のスライド式電子装置。
【請求項４】
前記連結部材の両端にはそれぞれ１つの取付用筒が設置され、前記スリーブは前記取付用筒に回転不能に装着されることを特徴とする請求項３に記載のスライド式電子装置。
【請求項５】
前記主軸は回転止め部を含み、前記回転支持部材の一端には２つの収容部が設置され、前記回転支持部材の他端には２つの第一枢着部が設置され、
前記第一枢着部は前記操作側ケースに回転可能に枢着され、前記回転止め部は前記収容部に回転不能に収容されることを特徴とする請求項４に記載のスライド式電子装置。
【請求項６】
前記スライド式電子装置は前記操作側ケース上に設置される２つの止め部をさらに含み、前記表示側ケースが前記操作側ケースに対して斜めに開けられる際、前記表示側ケースは前記止め部に当止されることを特徴とする請求項１に記載のスライド式電子装置。
【請求項７】
操作側ケースと、
前記操作側ケース上に重ね合わせて設置される表示側ケースと、
前記表示側ケースと前記操作側ケースとの間に設置されるチルト機構と、
を備えてなるスライド式電子装置において、
前記チルト機構は、回転支持部材、連結部材及び両端が相対的に回転できるヒンジ部材を含み、
前記回転支持部材の一端は前記操作側ケースに回転可能に枢着され、前記連結部材は前記表示側ケースに固定され、
前記ヒンジ部材の一端は前記連結部材に回転不能に装着され、前記ヒンジ部材の他端は前記回転支持部材に回転不能に固定されて、前記連結部材と前記回転支持部材とを回転可能に連結し、
前記表示側ケースが前記操作側ケースに対して閉じられる際に、前記回転支持部材及び前記連結部材は前記ヒンジ部材のトルクにより完全に展開されて、前記回転支持部材と前記連結部材との間の角度はほぼ１８０度を呈し、
前記表示側ケースが前記操作側ケースに対して開けられる際に、前記表示側ケースは、前記チルト機構によって前記操作側ケースに対してスライドするとともに斜めに開けられ、前記回転支持部材及び前記連結部材は、前記ヒンジ部材のトルクにより所定の開き角度を保持することを特徴とするスライド式電子装置。
【発明の詳細な説明】
【技術分野】
【０００１】
本発明はスライド式電子装置に関し、特に表示側ケースが操作側ケースに対して短手方向にスライドするとともに斜めに開けられるスライド式電子装置に関するものである。
【背景技術】
【０００２】
現在市販されているスライド式携帯電子装置は、一般的には、相対的に回転するかまたは相対的にスライドできる操作側ケース及び表示側ケースを含む。
【発明の概要】
【発明が解決しようとする課題】
【０００３】
従来のスライド式電子装置において、表示側ケースは操作側ケースの長手方向に沿ってスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
本発明は以上の問題点に鑑みてなされたものであって、その目的は、表示側ケースが操作側ケースに対して短手方向にスライドするとともに斜めに開けられるスライド式電子装置を提供することである。
【課題を解決するための手段】
【０００５】
前記問題を解決するために、本発明に係るスライド式電子装置は、操作側ケースと、前記操作側ケース上に重ね合わせて設置される表示側ケースと、前記表示側ケースと前記操作側ケースとの間に設置されるチルト機構と、を備えてなる。前記チルト機構は、回転支持部材、連結部材及び両端が相対的に回転できるヒンジ部材を含む。前記回転支持部材の一端は前記操作側ケースに回転可能に枢着され、前記連結部材は前記表示側ケースに固定される。前記ヒンジ部材の一端は前記連結部材に回転不能に装着され、前記ヒンジ部材の他端は前記回転支持部材に回転不能に固定されて、前記連結部材と前記回転支持部材とを回転可能に連結する。前記表示側ケース及び前記連結部材は、前記回転支持部材を巡って回転するとともに、前記ヒンジ部材をロック状態から解除させる。従って、前記表示側ケースは前記操作側ケースに対してスライドするとともに斜めに開けられる。
【０００６】
また、本発明に係るスライド式電子装置は、操作側ケースと、前記操作側ケース上に重ね合わせて設置される表示側ケースと、前記表示側ケースと前記操作側ケースとの間に設置されるチルト機構と、を備えてなる。前記チルト機構は、回転支持部材、連結部材及び両端が相対的に回転できるヒンジ部材を含む。前記回転支持部材の一端は前記操作側ケースに回転可能に枢着され、前記連結部材は前記表示側ケースに固定される。前記ヒンジ部材の一端は前記連結部材に回転不能に装着され、前記ヒンジ部材の他端は前記回転支持部材に回転不能に固定されて、前記連結部材と前記回転支持部材とを回転可能に連結する。前記表示側ケースが前記操作側ケースに対して閉じられる際に、前記回転支持部材及び前記連結部材は前記ヒンジ部材のトルクにより完全に展開されて、前記回転支持部材と前記連結部材との間の角度はほぼ１８０度を呈する。前記表示側ケースが前記操作側ケースに対して開けられる際に、前記表示側ケースは、前記チルト機構によって前記操作側ケースに対してスライドするとともに斜めに開けられ、前記回転支持部材及び前記連結部材は前記ヒンジ部材のトルクにより所定の開き角度を保持する。
【発明の効果】
【０００７】
従来の技術と比べて、本発明に係るスライド式電子装置において、前記表示側ケースと前記操作側ケースとの間には、回転支持部材及び連結部材を含むチルト機構が設けられている。且つ、ヒンジ部材を介して、前記回転支持部材と前記連結部材との間の角度をコントロールして、前記表示側ケース２０を前記操作側ケース１０に対して傾くように立ち上がらせるか又は前記操作側ケース１０の上に重ね合させる。従って、本発明のスライド式電子装置は卓上に置かれても、ユーザーは表示側ケースの表示スクリーンに表示される画面をはっきりと見える。
【図面の簡単な説明】
【０００８】
【図１】本発明の実施形態に係るスライド式電子装置の立体分解図である。
【図２】図１に示すスライド式電子装置の他の視角からの立体分解図である。
【図３】図１に示すスライド式電子装置のヒンジ部材を示す立体分解図である。
【図４】図３に示すヒンジ部材の他の視角からの立体分解図である。
【図５】図１に示すスライド式電子装置のチルト機構が表示側ケースに装着された構造を示す図である。
【図６】図１に示すスライド式電子装置が組立てられた後の閉じられた状態での立体斜視図である。
【図７】図６に示すスライド式電子装置が組立てられた後の開いた状態での立体斜視図である。
【図８】図７に示すスライド式電子装置を背面側から見た立体斜視図である。
【発明を実施するための形態】
【０００９】
図１及び図２に示されたように、本発明の実施形態に係るスライド式電子装置１００は、操作側ケース１０と、表示側ケース２０と、チルト機構３０と、従動部材５０と、を備える。
【００１０】
前記操作側ケース１０は、前記表示側ケース２０に対面する上面１１と、前記上面１１に設置される２つの止め部１３、２つの第一取付凹所１５及び１つの第二取付凹所１７と、を含む。前記止め部１３は、前記上面１１に凸設されており、前記表示側ケース２０が前記操作側ケース１０に対してリバーサルする際、前記表示側ケース２０の一端は前記止め部１３に当止される。前記２つの第一取付凹所１５は、前記操作側ケース１０の片側の長辺に直交し、且つ互いに離間して設置される。前記第二取付凹所１７は、前記操作側ケース１０の片側の短辺に沿って開設される。前記第一取付凹所１５内に第一固定軸１５１が装着され、前記第二取付凹所１７内に第二固定軸１７１が装着される。
【００１１】
前記表示側ケース２０は、略矩形を呈し、前記操作側ケース１０に対面する表面には、２つの第一収容溝２０２及び２つの第二収容溝２０４が開設されている。前記２つの第一収容溝２０２は、それぞれ前記表示側ケース２０の短手方向の両側に開設される。前記２つの第二収容溝２０４は、それぞれ対応する前記第一収容溝２０２に隣接し且つ対称的に開設される。各第一収容溝２０２内に第一位置決め軸２０３が装着され、各第二収容溝２０４内に第二位置決め軸２０５が装着される。
【００１２】
前記チルト機構３０は、回転支持部材３１、連結部材３３及び２つのヒンジ部材３５を含む。前記回転支持部材３１の片側には、略円筒状を呈する２つの収容部３１１が設置され、前記回転支持部材３１の他側には、略柱状である２つの第一枢着部３１３が設置される。前記収容部３１１の中部には、中空部３１１１が設けられる。前記第一枢着部３１３は、前記収容部３１１から離れる方向へ延在し、軸穴３１３１を有する。前記軸穴３１３１により、前記第一枢着部３１３を前記第一固定軸１５１に枢着する。前記連結部材３３の２つの端部の相対する両側には、それぞれ取付用筒３３１及び第二枢着部３３３が設置されている。前記取付用筒３３１の一端は密封されて、前記ヒンジ部材３５を収納するために用いられる。前記第二枢着部３３３には、軸穴３３５が設けられている。前記軸穴３３５により、前記第二枢着部３３３を第二位置決め軸２０５に枢着する。
【００１３】
図３及び図４に示されたように、前記ヒンジ部材３５は、スリーブ３５１、主軸３５３、従動部品３５５、スプリング３５７及びワッシャー３５９を備える。前記ヒンジ部材３５は、前記回転支持部材３１と前記連結部材３３とを連結し、且つ前記回転支持部材３１を前記連結部材３３に対して開放させるか又は閉鎖させるために用いられる。
【００１４】
前記スリーブ３５１は、前記取付用筒３３１内に移動不能に装着される。前記スリーブ３５１の内周面には、その延在方向に沿ってスライド溝３５１１が開設され、前記スリーブ３５１の一端には貫通孔３５１３が設けられる。
【００１５】
前記主軸３５３は、前記主軸３５３の一端に設置される回転止め部３５３１、前記主軸３５３の他端に設置されるフランジ部３５３３及び前記回転止め部３５３１に近い主動部品３５３２を含む。前記回転止め部３５３１は、前記収容部３１１の中空部３１１１内に回転不能に固定される。前記主動部品３５３２は、柱状体である基体部３５３４及び前記基体部３５３４の両端から前記主軸３５３の外周面に沿って対称的に延在する２つの山形部３５３５を含む。前記山形部３５３５は、頂部３５３６を有する。
【００１６】
前記従動部品３５５は、略柱状体であり、前記従動部品３５５の一端にはカム面３５５２が設置され、前記従動部品３５５の他端には平坦な端面３５５３が形成される。前記端面３５５３の中部には、前記端面３５５３を貫通する円形孔３５５１が設けられる。図４に示されたように、前記カム面３５５２は、対称的に設置される２つの凹谷３５５４、対称的に設置される２つの凸峰３５５５及び前記凹谷３５５４と前記凸峰３５５５との間に形成される２つの斜面３５５６から構成される。前記従動部品３５５の外周面には、その縦長方向に沿って突起部３５５７が設置される。前記突起部３５５７を前記スリーブ３５１のスライド溝３５１１に挿入して、前記従動部品３５５の前記スリーブ３５１に対するスライドを実現する。
【００１７】
前記スプリング３５７は、螺旋状を呈する。前記スプリング３５７は前記スリーブ３５１内に収納されており、前記スプリング３５７の一端は前記従動部品３５５の端面３５５３に当止され、前記スプリング３５７の他端は前記スリーブ３５１の底部に当止される。
【００１８】
前記ヒンジ部材３５を組み立てる場合、前記主軸３５３を、前記貫通孔３５５１、前記スプリング３５７及び前記貫通孔３５１３に順次に貫いて、前記山形部３５３５を前記カム面３５５２の凹谷３５５４に係合し、前記フランジ部３５３３を前記スリーブ３５１の貫通孔３５１３から差し出させてから、前記ワッシャー３５９を前記フランジ部３５３３に係止する。
【００１９】
前記従動部材５０は、湾曲されたロッドであり、その両端にはそれぞれ軸穴５２が設けられている。前記軸穴５２により、前記従動部材５０の両端をそれぞれ前記操作側ケース１０の第二固定軸１７１又は前記表示側ケース２０の第一位置決め軸２０３に枢着する。
【００２０】
図５に示されたように、前記スライド式電子装置１００を組み立てる場合、まず、一体に組み立てたヒンジ部材３５のスリーブ３５１を前記取付用筒３３１内に固定すると共に、前記回転止め部３５３１を前記取付用筒３３１から差し出させる。それから、前記回転止め部３５３１を前記収容部３１１の中空部３１１１内に収納して、前記回転止め部３５３１を、前記回転支持部材３１と共に前記連結部材３３の取付用筒３３１に相対的に回転できるようにする。このように、前記回転支持部材３１と前記連結部材３３とは、前記ヒンジ部材３５により回転可能に連結される。この際、前記回転支持部材３１は前記連結部材３３に対して完全に展開されて、即ち前記回転支持部材３１と前記連結部材３３との間の角度はほぼ１８０度を呈する。次に、前記第一枢着部３１３をそれぞれ前記操作側ケース１０の第一固定軸１５１に回転可能に枢着し、前記第二枢着部３３３を前記表示側ケース２０の第二位置決め軸２０５に回転可能に枢着する。次いで、粘着などの方式で前記連結部材３３のロッド部（図示せず）を前記表示側ケース２０に固着する。最後に、前記従動部材５０の両端を前記操作側ケース１０の第二固定軸１７１及び前記表示側ケース２０の第一位置決め軸２０３にそれぞれ回転可能に枢着する。
【００２１】
図６に示されたように、前記スライド式電子装置１００が閉じられた後、前記回転支持部材３１及び前記連結部材３３は、前記ヒンジ部材３５のトルクに駆動されて互いに対して完全に展開される。即ち、前記回転支持部材３１と前記連結部材３３との間の角度はほぼ１８０度を呈する。この際、前記山形部３５３５は前記凹谷３５５４内に当止されている。
【００２２】
図７及び図８に示されたように、前記スライド式電子装置１００を開ける場合、前記表示側ケース２０を前記操作側ケース１０の短手方向に沿って推進すると、前記回転支持部材３１の第一枢着部３１３は前記操作側ケース１０の第一固定軸１５１を巡って回転し、前記連結部材３３は、前記表示側ケース２０と一緒に前記回転支持部材３１に相対的に回転する。前記従動部材５０の両端は、それぞれ前記第二固定軸１７１及び前記第一位置決め軸２０３を巡って、前記操作側ケース１０及び前記表示側ケース２０に相対的に回転する。
【００２３】
続けて前記表示側ケース２０を推進すると、前記表示側ケース２０は前記連結部材３３を連動して前記回転支持部材３１に対して徐々にリバーサルして、前記連結部材３３と前記回転支持部材３１との間の角度を縮小させる。前記ヒンジ部材３５はロック状態から解除されて、前記山形部３５３５は前記凹谷３５５４から滑り出して、前記斜面３５５６を経過して前記凸峰３５５５を滑り越えて、再び前記凹谷３５５４内に係合される。この際、前記連結部材３３と前記回転支持部材３１は所定の開き角度を呈し、前記表示側ケース２０の一端は前記操作側ケース１０の止め部１３に当止される。前記表示側ケース２０の他端は、前記チルト機構３０及び前記従動部材５０に支持されて前記操作側ケース１０に対して傾くように立ち上がる。
【００２４】
前記スライド式電子装置１００を閉じる場合、前記スライド式電子装置１００を開ける場合とちょうど相反するから、ここで具体的な説明を省略する。
【００２５】
本発明のスライド式電子装置１００において、前記表示側ケース２０と前記操作側ケース１０との間に、前記回転支持部材３１及び前記連結部材３３を含むチルト機構３０を設け、且つヒンジ部材３５を介して前記回転支持部材３１と前記連結部材３３との間の角度をコントロールして、前記表示側ケース２０を前記操作側ケース１０に対して傾くように立ち上がらせるか又は前記操作側ケース１０の上に重ね合させる。従って、本発明のスライド式電子装置１００が卓上に置かれても、ユーザーは表示側ケース２０の表示スクリーンに表示される画面をはっきり見ることができる。
【００２６】
なお、前記従動部材５０を省略して、前記チルト機構３０だけで前記表示側ケース２０と前記操作側ケース１０との開閉を実現することができる。即ち前記表示側ケース２０が前記操作側ケース１０に対して完全に開放されると、前記ヒンジ部材３５の山形部３５３５は前記凹谷３５５４内に係合されてロックされる。この場合、前記連結部材３３と前記回転支持部材３１は所定の開け角度を保持するから、前記表示側ケース２０は前記操作側ケース１０に対して開けられる。前記表示側ケース２０が前記操作側ケース１０に対して完全に閉鎖されると、前記ヒンジ部材３５の山形部３５３５は再び前記凹谷３５５４内に滑り込んで係合される。この場合、前記連結部材３３と前記回転支持部材３１とは、前記ヒンジ部材３５のトルクにより互いに対して完全に展開されて、即ち前記回転支持部材３１と前記連結部材３３との間の角度はほぼ１８０度を呈する。
【００２７】
なお、前記ヒンジ部材３５を１つだけにしてもよい。
【００２８】
なお、前記ヒンジ部材３５において、前記主軸３５３と前記従動部品３５５とは、摩擦力だけで互いに固定されることができる。即ち、前記カム面３５５２及び前記山形部３５３５を省略してもよい。
【００２９】
なお、前記スリーブ３５１を省略して、前記従動部品３５５を前記取付用筒３３１に直接に装着してもよい。
【００３０】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００３１】
１０      操作側ケース
１１      上面
１３      止め部
１５      第一取付凹所
１７      第二取付凹所
２０      表示側ケース
３０      チルト機構
３１      回転支持部材
３３      連結部材
３５      ヒンジ部材
５０      従動部材
５２      軸穴
１００    スライド式電子装置
１５１    第一固定軸
１７１    第二固定軸
２０２    第一収容溝
２０３    第一位置決め軸
２０４    第二収容溝
２０５    第二位置決め軸
３１１    収容部
３１３    第一枢着部
３３１    取付用筒
３３３    第二枢着部
３３５    軸穴
３５１    スリーブ
３５３    主軸
３５５    従動部品
３５７    スプリング
３５９    ワッシャー
３１１１  中空部
３１３１  軸穴
３５１１  スライド溝
３５１３  貫通孔
３５３１  回転止め部
３５３２  主動部品
３５３３  フランジ部
３５３４  基体部
３５３６  頂部
３５５１  円形孔
３５５２  カム面
３５５３  端面
３５５４  凹谷
３５５５  凸峰
３５５６  斜面
３５５７  突起部
【図１】
2011166738.tif 000003
【図２】
2011166738.tif 000004
【図３】
2011166738.tif 000005
【図４】
2011166738.tif 000006
【図５】
2011166738.tif 000007
【図６】
2011166738.tif 000008
【図７】
2011166738.tif 000009
【図８】
2011166738.tif 000010